(57)【要約】【課題】インターネット上での競馬優勝確率予想システム及びその方法を提供する。【解決手段】使用者のインターネット接続ツール及びインターネット網を通じて使用者インターネット接続ツールと接続したウェブサーバ、及び上記ウェブサーバに連動して優勝確率を予想する為に必要な情報が保存された競走馬のデータベース及び騎手／調教師のデータベース、及び該当競走別各競走馬の優勝確率を計算する競走馬優勝確率計算簿、及び該当競走別の該当競技時刻の騎手／調教師の優勝確率を計算する騎手／調教師優勝確率計算簿、上記ウェブサーバに連動して上記競走馬の優勝確率計算簿と上記騎手／調教師優勝確率計算簿を制御する総合制御部を含んで構成されている点を特徴とする。【選択図】　　　図１
2004054917.tif 000002
【特許請求の範囲】
【請求項１】
インターネット網を利用する通常のサーバークライアントシステムにおいて、使用者のインターネット接続ツール及びインターネット網を通じて使用者のインターネット接続ツールと接続されたウェブサーバ及び上記ウェブサーバに連動して競馬の該当競争別各競走馬の優勝確率を予想する為の必要情報が保存された競走馬データベース及び上記ウェブサーバに連動して騎手と調教師の優勝確率を予想する為の必要情報が保存された騎手／調教師データベース及び上記競走馬データベースの情報を利用して該当競争別各競走馬の優勝確率を計算する競走馬優勝確率計算簿、上記騎手／調教師データベースの情報を利用して該当競争別該当競争時刻の騎手、調教師の優勝確率を計算する騎手／調教師優勝確率計算簿、上記ウェブサーバに連動して上記競走馬優勝確率計算簿と上記騎手／調教師優勝確率計算簿を制御する総合制御部を含んで構成されていることを特徴としたインターネット上での競走馬優勝確率予想システム。
【請求項２】
請求項１において、上記競走馬データベース及び騎手／調教師データベースと連動して、上記データベースに保存された競走馬及び騎手／調教師の情報を読み出して競走馬と騎手及び競走馬と調教師間の相性度を計算する相性度計算簿も含んで構成されていることを特徴としたインターネット上での競走馬優勝確率予想システム。
【請求項３】
請求項１又は請求項２において、ウェブサーバがＷＡＰゲートと連動して使用者の移動通信端末機に上記競走馬優勝確率と上記騎手／調教師優勝確率と相性度を送信することを特徴としたインターネット上での競走馬優勝確率予想システム。
【請求項４】
インターネット接続ツールを利用してインターネット網を通じウェブサーバに接続した使用者が優勝確率予想を知りたい競馬競争を選択し、選択した競争に出場する各競争馬の過去の記録中、優勝に影響を与える情報をデータベースから読み出して各競走馬の該当競馬競争時刻時点での優勝確率情報を計算する競走馬優勝確率予想の手順と、上記で選択した競争に出場する該当競走馬別騎手と調教師の情報をデータベースから読み出して該当騎手及び調教師の該当競走馬競争時刻時点での優勝確率情報を計算する騎手／調教師優勝確率予想の手順と、上記競走馬優勝確率予想の手順で計算した各競走馬の優勝確率情報と上記騎手／調教師優勝確率予想の手順で計算した各騎手／調教師の優勝確率情報を受信して、受信した上記競走馬優勝確率情報と騎手／調教師優勝確率情報を使用者のインターネット接続ツールに送信する優勝確率送信の手順を含んで構成されたことを特徴としたインターネット上での競走馬優勝確率予想方法。
【請求項５】
請求項４において、上記の運勢導出手順で導出した運勢情報に伴い上記で選択した競走に出場する該当競走馬とその騎手との相性度及び該当競走馬と調教師との相性度を計算する相性度計算の手順も含めたことを特徴としたインターネット上での競馬優勝確率予想方法。
【請求項６】
請求項４又は請求項５において、ウェブサーバ上で計算した競走馬優勝確率と騎手／調教師優勝確率及び競走馬と騎手の相性度もしくは競走馬と調教師の相性度の各値を反映した総合優勝確率を計算し、その結果を使用者のインターネット接続ツールに送信することを特徴としたインターネット上での競馬優勝確率予想方法。
【発明の詳細な説明】
【０００１】
【発明が属する技術分野】
本発明は、インターネット上での競馬優勝確率予想システム及びその方法に関する。
【０００２】
【従来の技術】
一般的に競馬は出場する競走馬の中でどの競走馬が優勝するかを予測し、予測した競走馬に所定の金額を掛けるものである。この時、競走馬の優勝可能性を予測するにあたり競馬予想紙などに掲載された該当競走馬の過去の競走記録、例を挙げると走行速度、過去の成績、体重、現在のコンディション、騎手、調教師、負担重量、年齢などのデータを土台にその優勝可能性を予測する。
【０００３】
しかし、そのような従来の方法では個人が単純に過去の資料をもとに各競走馬を比較して検討／予測する為、その過程が面倒なだけではなく優勝の変動が激しい競馬において競走馬の優勝可能性を決定するのはかなり難しいのが実情である。
また従来例として、特許文献１及び特許文献２を挙げる。
【０００４】
【特許文献１】
特開２００２−３７３２１８号公報
【特許文献２】
特開平１１−２９０５５４号公報
【０００５】
【発明が解決しようとする課題】
上記のような問題点を解消する為の本発明の目的は、競走馬の過去の競走記録をデータベース化し、該当競走出場の各競走馬の各競走別優勝確率を数値的に計算するのは勿論のこと、競走馬、騎手、調教師の該当競走時刻の運勢を上記の方法で計算した優勝確率に反映させて競走馬の総合優勝確率を算出するインターネット上での競馬優勝確率予想システム及びその方法を提供するところにある。
【０００６】
【課題を解決するための手段】
上記のような目的を達成する為本発明は、インターネット網を利用する通常のサーバークライアントシステムにおいて、使用者のインターネット接続ツール及びインターネット網を通じて使用者のインターネット接続ツールと接続したウェブサーバ、及び上記ウェブサーバに連動して競馬の該当競走別各競走馬の優勝確率を予想する為に必要な情報が保存された競走馬のデータベース、及び上記ウェブサーバに連動して騎手と調教師の優勝確率を予測する為に必要な情報が保存された騎手／調教師のデータベース、及び上記競走馬のデータベース情報を利用して該当競走別各競走馬の優勝確率を計算する競走馬優勝確率計算簿、及び上記騎手／調教師のデータベース情報を利用して該当競走別の該当競技時刻の騎手、調教師の優勝確率を計算する騎手／調教師優勝確率計算簿、上記ウェブサーバに連動して上記競走馬優勝確率計算簿と上記騎手／調教師優勝確率計算簿を制御する総合制御部を含んでインターネット上での競走馬優勝確率予想システムを構成する。
【０００７】
また上記競走馬データベース及び騎手／調教師データベースと連動して、上記データベースに保存された競走馬及び騎手／調教師の情報を読み出して競走馬と騎手及び競走馬と調教師間の相性度を計算する相性度計算簿も含んで構成する。
【０００８】
さらにウェブサーバがＷＡＰゲートと連動して使用者の移動通信端末機に上記競走馬優勝確率と上記騎手／調教師優勝確率と相性度を送信する。
【０００９】
またインターネット接続ツールを利用してインターネット網を通じウェブサーバに接続した使用者が優勝確率予想を知りたい競馬競争を選択し、選択した競争に出場する各競争馬の過去の記録中、優勝に影響を与える情報をデータベースから読み出して各競走馬の該当競馬競争時刻時点での優勝確率情報を計算する競走馬優勝確率予想の手順と、上記で選択した競争に出場する該当競走馬別騎手と調教師の情報をデータベースから読み出して該当騎手及び調教師の該当競走馬競争時刻時点での優勝確率情報を計算する騎手／調教師優勝確率予想の手順と、上記競走馬優勝確率予想の手順で計算した各競走馬の優勝確率情報と上記騎手／調教師優勝確率予想の手順で計算した各騎手／調教師の優勝確率情報を受信して、受信した上記競走馬優勝確率情報と騎手／調教師優勝確率情報を使用者のインターネット接続ツールに送信する優勝確率送信の手順を含んでインターネット上での競走馬優勝確率予想方法を構成する。
【００１０】
また上記の運勢導出手順で導出した運勢情報に伴い上記で選択した競走に出場する該当競走馬とその騎手との相性度及び該当競走馬と調教師との相性度を計算する相性度計算の手順も含める。
【００１１】
さらにウェブサーバ上で計算した競走馬優勝確率と騎手／調教師優勝確率及び競走馬と騎手の相性度もしくは競走馬と調教師の相性度の各値を反映した総合優勝確率を計算し、その結果を使用者のインターネット接続ツールに送信する。
【００１２】
【発明の実施の形態】
以下、図面に基づき本発明の実施例の構成を詳細に説明する。
図１は本発明のシステム構成図である。本発明のウェブサーバ１０にインターネット網１００を通じて接続する為の使用者インターネット接続ツール５と上記使用者インターネット接続ツール５とインターネット網を通じて接続されて、本発明の競走馬データベース２０、騎手／調教師データベース３０と連動してデータベース検索及び使用者インターネット接続ツール５に送信する為のウェブページを提供・管理し、更新する為のソリューションを含むウェブサーバ１０と上記ウェブサーバ１０と連動して該当競走別各競走馬の優勝確率を予想する為の必要情報が保存された競走馬データベース２０と上記ウェブサーバに連動して該当競走別各騎手と調教師の優勝確率を予想する為の必要情報が保存された騎手／調教師データベース３０と上記競走馬データベース２０の情報を利用して該当競走別各競走馬の優勝確率を計算する競走馬優勝確率計算簿４０と上記騎手／調教師データベース３０の情報を利用して該当競走別該当競技時刻の各騎手及び調教師の優勝確率を計算する騎手／調教師優勝確率計算簿５０と上記ウェブサーバに連動して上記競走馬の優勝確率計算簿４０と上記騎手／調教師優勝確率計算簿５０を制御する総合制御部６０で構成されている。
【００１３】
この時、上記競走馬優勝確率計算簿４０と上記騎手／調教師優勝確率計算簿５０と上記総合制御部６０は、本発明のウェブサーバ１０のバックオフィス（Ｂａｃｋ−Ｏｆｆｉｃｅ）装置２００で実施し、上記バックオフィス装置２００の処理結果はウェブサーバ１０によりウェブページ化され使用者インターネット接続ツール５のウェブブラウザを通してブラウジングされる。
【００１４】
図２又は図３は、本発明システムのデータベースの構成を表した図面で、図２は競走馬データベース２０の構成を表した図面、図３は騎手／調教師データベース３０の構成を表した図面である。
【００１５】
図２は競走馬データベース２０に保存された競走馬データレコード（Ｒｅｃｏｒｄ）中、一つの例を図示したものである。本発明の実施例で挙げると上記レコードを構成するフィールドとして、馬名Ａ０、競走馬の生年月日Ａ１、上記競走馬の生年月日Ａ１に対応する六十甲子Ａ２、馬の性別Ａ３、出生地Ａ４、馬齢Ａ５、過去その馬が出場した競走（以下当時の競走と呼ぶ）の年月日時Ａ６、当時の競走に出場した競走馬の数を表す出場馬数Ａ７、当時の競走の結果順位Ａ８、結果順位Ａ８を所定基準で換算した換算順位Ａ９、換算順位Ａ９を合計した平均Ｐとの差として算出された誤差計数Ａ１０、その競走に出場した騎手Ａ１１と調教師Ａ１２が登録され、その他優勝確率予想に必要な情報、例を挙げると訓練記録、負担重量、健康状態、コンディション、競走距離、気候、余力、体重の変化、競走路のような情報が調教師フィールドＡ１２の後に記録される。
【００１６】
本発明の実施例で挙げると、上記馬名Ａ０フィールド乃至調教師フィールドＡ１２は、競走馬の優勝確率を計算する為の必須的な情報が保存される必須記録フィールドで、上記調教師Ａ１２フィールドの後に記録される情報は、本発明のウェブサーバ運営者の必要有無により優勝確率予想に影響を与える情報が追加的に記録される参考記録フィールドである。
【００１７】
一方、上記の馬の性別Ａ３が記録されるフィールドには牡馬、牝馬、去勢馬の３種類のうちの１つが記録され、出生地Ａ４フィールドには国産又は海外産が記録される。
【００１８】
ここで上記図２に図示された図面を参照して上記レコードを構成するフィールドの記録過程を簡単に説明する。図面には競走馬の当時の競走記録が３個すなわち、行１乃至行３まで記録された例を図示している。上記レコードは各競走馬当たり１個ずつのレコードが生成され、上記馬名Ａ０、競走馬の生年月日Ａ１、上記競走馬の生年月日Ａ１に対する六十甲子Ａ２、馬の性別Ａ３、出生地Ａ４フィールドは最初の当時の競走入力時に一度だけ入力すれば他の当時の競走を入力する時に自動的に入力されるフィールドである。また、馬齢Ａ５フィールドも当時の競走を入力すれば自動的に計算、入力される。
【００１９】
本発明の実施例によると、競走馬の優勝確率予想による計算過程は競走馬の過去の記録を土台に計算する優勝確率に、その競走馬の運勢と関連する情報が共に考慮され最終的な優勝確率を計算する。本発明の実施例では上記運勢と関連する情報として通常の四柱推命で利用される六十甲子を利用した。ここで上記運勢と関連される情報は、競走馬、騎手、調教師の運勢を導出できる通常の情報（例を挙げると星座、陰陽五行、四象など）が入力されればより良く、本発明の実施例にその種類が限定される事はない。
【００２０】
続いて、換算順位Ａ９、誤差計数Ａ１０の計算方法を説明する。換算順位Ａ９フィールドは、競走馬が出場した当時の競走の出場馬数が競走毎に相違するので当時の競走の頭数を一定の基準により換算した換算順位が記録されるフィールドで、本発明の実施例で挙げると各競走に出場した競走馬数が１０頭の場合を基準に換算順位を算出する。すなわち上記換算順位の計算は、行Ｎからの換算順位をＨ（Ｎ）とする時、
Ｈ（Ｎ）＝行Ｎでの結果順位Ａ８×１０（換算計数；Ｋ）／　行Ｎでの出場馬数Ａ７の式で計算され、上記換算計数（Ｋ）はウェブサーバの運営者が任意に調整できる。よって、図面に図示された例で行１での換算順位は、３（結果順位）×１０（換算計数）／１４（出場馬数）＝２．１と計算され、この場合換算順位Ａ９は出場馬数Ａ７と結果順位Ａ８が入力されれば上の計算方法により自動的に計算、入力される。
【００２１】
同じように行２での換算順位は２×１０／１０＝２、行３での換算順位は６×１０／１４＝４．３と算出された例を表しており、小数点二桁以下は四捨五入した結果が出る。また、そのような換算順位の入力によって換算順位の平均Ｐが自動的に算出されレコードに記録される。図示された図面の換算順位の平均Ｐは各行の換算順位の和つまり、２．１＋２＋４．３＝８．４の平均値（８．４／３）である２．８が自動的に算出されレコードに記録される。
【００２２】
また、誤差計数Ａ１０は換算順位Ａ９と上記換算順位の平均Ｐとの差が算出される。つまり、誤差計数Ａ１０＝換算順位Ａ９−換算順位の平均Ｐと計算され、図示した図面の誤差計数は行１乃至３の誤差計数が各自２．１−２．８＝−０．７、２．０−２．９＝−０．８、４．３−２．８＝＋１．５と各自記録された例を表している。
【００２３】
一方、本発明の実施例によると上記競走馬データベース２０は上記で記録された競走馬レコードを六十甲子Ａ２、馬の性別Ａ３、出生地Ａ４フィールドに従った３６０個の群に分類する。これは全競走馬レコードは六十甲子と性別（牡馬、牝馬、去勢馬）、出産地（国内、海外）によって３６０群（６０×３×２＝３６０）に分ける事に着眼したもので、同一の六十甲子と性別、出生地によって１つの群を形成した競走馬レコードは後述する競走馬優勝確率計算の基本単位として利用される。図面に図示した競走馬を例にすると、上記競走馬レコードは競走馬データベース２０内部で乙卯、牡馬、国内、の名前を持った群にそれと同じ条件を持った他の競走馬レコードと一緒に含まれる。
【００２４】
続いて、図３に図示された騎手／調教師データベース３０の構成を説明する。図面には騎手／調教師データベース３０に保存された騎手又は調教師のデータ中、騎手レコードを図示したもので、調教師レコードは騎手のデータと同じフィールドを持ったレコードとして騎手／調教師データベースに保存されるので調教師レコードに関する説明は省略する。
【００２５】
図面には過去の当時の競走記録が３つ、すなわち行１乃至３まで記録された例を図示している。上記レコードは各騎手当たり１個ずつのレコードが生成され、騎手名Ｂ０、騎手の生年月日Ｂ１、上記騎手の生年月日Ｂ１に対応する六十甲子Ｂ２、騎手の性別Ｂ３、年齢Ｂ４、過去その騎手が競走した競走（上述した当時の競走）の競走年月月日Ｂ５、当時の競走にて乗馬した競走馬の競走馬名Ｂ６、当時の競走に出走した競走馬数を表示した出走馬数Ｂ７、当時の競走の結果順位Ｂ８、結果順位Ｂ８を所定基準で換算した換算順位Ｂ９、換算順位Ｂ９の合計の平均Ｐとの差として算出される誤差計数Ｂ１０、当時の競走の調教師Ｂ１１が記録され、その他優勝確率予想に必要な情報、例を挙げると訓練記録、負担重量、健康状態、コンディション、競走距離、気候、余力、体重の変化量、競走路のような情報が調教師フィールドＢ１１以降に記録される。
【００２６】
本発明の実施例で挙げると、上記騎手名Ｂ０フィールド及び騎手の生年月日Ｂ１は騎手の優勝確率を計算する為の必修的な情報が保存される必修記録フィールドで、上記調教師Ｂ１１フィールドの後に記録される情報は、本発明のウェブサーバの運営者の必要有無により優勝確率予想に影響を与える情報が追加的に記録される参考記録フィールドである。
【００２７】
また、本発明の実施例で挙げると、上記競走馬レコードと同じく騎手レコードにも運勢と関連した情報として通常の四柱推命で利用されている六十甲子を利用し、騎手や調教師のレコードの記録は騎手名Ｂ０、騎手の生年月日Ｂ１、上記騎手の生年月日Ｂ１に該当する六十甲子Ｂ２、騎手の性別が先に入力される。それから競走年月月日Ｂ５、競走馬名Ｂ６、出走馬数Ｂ７、結果順位Ｂ８の情報は前述した競走馬レコードに該当する情報を入力する時に競走馬レコードに記録される内容が騎手／教師データベース３０に互換され該当騎手または調教師のレコードの該当フィールドに自動入力される。
【００２８】
換算順位Ｂ９と誤差計数Ｂ１０は上述した競走馬の場合と同一な計算方法で算出されるので詳細説明は省略する。図３に図示された例は、騎手レコードに該当騎手の過去の当時の競走記録が３つ、すなわち行１乃至行３まで各フィールドが記録された例を図示したものである。
【００２９】
さらに、本発明の実施例で挙げると上記競走馬データベース２０の３６０個の群の分類と同じく騎手の六十甲子と性別（男女）によって、１２０個の群（６０×２＝１２０）に分類され騎手／調教師データベース３０に記録され、同じ六十甲子と性別により１つの群を形成した騎手レコードは後述する騎手の優勝確率計算の基本単位として利用される。図面に図示した騎手の例を挙げると、上記騎手レコードは騎手／調教師データベース３０で壬子、男性、を持った群にこれと同一の条件を持った他の騎手レコードと一緒に含まれる。
【００３０】
一方、上記競走馬優勝確率計算簿４０は、内部に上記競走馬データベース２０に保存された情報を利用してその競走馬の優勝確率を計算する為のソフトウェアソリューションを内蔵しており、ウェブサーバ１０から伝達された使用者の要求に対応する中央制御部６０の司令により上記競走馬優勝確率計算簿４０に内蔵された上記ソフトウェアソリューションを作動して、上記競走馬データベース２０から上記結果予測に必要な情報を読み出し該当競走別出走競走馬の優勝確率を計算する。この詳細説明は後で述べる。
【００３１】
そして、上記騎手／調教師優勝確率計算簿５０は内部に上記騎手／調教師データベース３０に保存された情報を利用して該当競走別に出走する騎手及び該当調教師の該当競走別競走時刻時点の優勝確率を計算する為のソフトウェアソリューションを内蔵しており、ウェブサーバ１０から伝達される使用者の要求に対応する中央制御部６０の司令により上記騎手／調教師優勝確率計算簿５０が内蔵された上記ソフトウェアソリューションを作動して、上記騎手／調教師データベース３０から上記優勝確率計算に必要な情報を読み出し該当競走別競技時刻時点の騎手と調教師の優勝確率を計算する。この詳細説明は後で述べる。
【００３２】
また、上記のウェブサーバ１０はＷＡＰゲート（Ｗｉｒｅｌｅｓｓ　Ａｐｐｌｉｃａｔｉｏｎ　Ｐｒｏｔｏｃｏｌ　ｇａｔｅ、無線メッセージサービス）方式または、公知の他の送信方式を利用して送信できる。
【００３３】
一方、使用者インターネット接続ツール５とインターネット網１００とのインターフェース及びインターネット網１００とウェブサーバ１０間のインターフェース或いはウェブサーバ１０とＷＡＰゲート１１０及び移動通信端末機１２０は、ＴＰＣ／ＩＰプロトコルを利用する送信規約として互いの情報を送信でき、これは公知の技術を利用して具現できるもので、これらの構成要素間の物理的なインターフェース及びデータミスに関した詳細説明は省略する。
【００３４】
また、本発明の実施例で挙げると、ウェブサーバ１０と競走馬データベース２０及び騎手／調教師データベース３０間の情報検索及び読み出しと情報の管理方法は公知のＲＤＢＭＳ（Ｒｅｌａｔｉｏｎａｌ　Ｄａｔａ　Ｂａｓｅ　Ｍａｎａｇｅｍｅｎｔ　Ｓｙｓｔｅｍ、管理型データベース管理システム）技術を利用し、ウェブサーバ１０の要求に従い各データベースから要求される該当情報を検索／読み出し及び管理できるようにする。
【００３５】
次に上記のように構成されている本発明の競馬優勝確率予想方法を添付図面に基づいて詳細に説明する。図４は本発明競馬優勝確率予想方法を表すフローチャートで、この各段階を説明する。
【００３６】
（１）使用者のウェブサーバ接続手順
使用者がインターネット接続ツール５を利用しインターネット網１００を通じてウェブサーバ１０に接続する段階（段階Ｓ３０１）、ウェブサーバ１０に接続した使用者が優勝確率予想を望む競走を選択する段階（段階Ｓ３０２）、ウェブサーバ１０が上記選択した競走の優勝確率予想に対する手数料の決済可否を確認する段階（段階Ｓ３０３）、決済が成功すれば、ウェブサーバ１０が使用者が選択した競走の優勝確率の計算を中央制御部６０に要求し、上記優勝確率要求に対応して　中央制御部６０が競走馬優勝確率計算簿４０に優勝確率計算の司令を伝達する段階（段階Ｓ３０４）を含めて構成されており、本発明のウェブサーバ１０の運営者は必要に応じて上の段階中手数料の決済可否確認段階（段階Ｓ３０３）を省略して使用者に無償で本発明のウェブサーバによる競走馬優勝確率を提供できる。
【００３７】
（２）競走馬優勝確率計算の手順
続いて競走馬優勝確率計算の手順は、上記指令により上記競走馬優勝確率計算簿４０が自身が内蔵したソフトウェアソリューションを作動させ競走馬データベース２０から上記結果予測に必要な情報を読み出す段階（段階Ｓ３０５）、上記で読み出した情報によって上記競走馬優勝確率計算簿４０が上記使用者が選択した競走に出場する各競走馬毎の優勝確率を計算する段階（段階Ｓ３０６）を含めて構成される。
【００３８】
（３）騎手／調教師優勝確率計算の手順
続いて騎手／調教師優勝確率計算の手順は、上記競走馬優勝確率の手順が終われば、上記中央制御部６０が騎手／調教師優勝確率計算簿５０に上記で選択した競走に出場する騎手及び調教師の優勝確率計算を指令する段階（段階Ｓ３０７）、上記指令により上記騎手／調教師優勝確率計算簿５０が自身が内蔵したソフトウェアソリューションを作動させ上記騎手／調教師データベース３０から優勝確率計算に必要な情報を読み出す段階（段階Ｓ３０８）、上記で読み出した情報によって上記騎手／調教師優勝確率計算簿５０が上記使用者が選択した競走に出場する該当騎手及び調教師の該当競走別競走時刻時点の優勝確率を計算する段階（段階Ｓ３０９）を含めて構成される。
【００３９】
（４）競走馬及び騎手／調教師の優勝確率計算結果の送信手順
続いて競走馬及び騎手／調教師の優勝確率計算結果の送信手順は、上記騎手／調教師優勝確率計算の手順が終了すれば、上記ウェブサーバ１０が競走馬優勝確率計算簿４０と騎手／調教師優勝確率計算簿５０で計算した競走馬及び騎手／調教師の優勝確率を含めたウェブページを生成し、使用者のインターネット接続ツールに送信する段階（段階Ｓ３１０）を含めて構成される。
【００４０】
続いて、図５及び図６を参考に上記競走馬優勝確率計算の手順と上記騎手／調教師優勝確率計算の手順をより詳細に説明する。図５は図４に図示された競走馬の優勝確率の計算方法を表したフローチャートで、図６は図４に図示された騎手の優勝確率の計算方法を表したフローチャートである。
【００４１】
まず、図５の競走馬の優勝確率計算方法を説明する。上記競走馬優勝確率計算簿４０が競走馬データベース２０から該当競走馬レコードを読み出す（段階Ｓ４０１）。読み出した該当競走馬レコードから過去の当時の競技記録の中で使用者が選択した競走（以下、該当競走と呼ぶ）の競走条件と一致するデータを選別する（段階Ｓ４０２）。ここで言う該当競走の競走条件とは、例を挙げると競走馬の馬齢、体重、該当競走の距離などが一致する条件を持った情報で、該当競走と一致する条件を持ったデータを優先的に選別する。万が一初出場の競争馬やその競争馬のレコードに過去の競技成績が存在しない場合には、その競争馬が属する群のレコードを検索して該当競走の競走条件と一致するデータを選別する。上記データの選別段階は、該当競走馬レコードに記録された情報の中で該当条件と一致または類似した競走条件を持った行の情報を読み出すことを言う。
【００４２】
選別されたデータから換算順位と誤差計数を算出する（段階Ｓ４０３）。
ここで言う該当競走の競走条件とは、該当競走馬レコードを構成する行の集合体を指し、競走馬優勝確率計算簿４０がこれらを競走年月日時Ａ６順に整列し、整列されたデータから前述した方法通り該当競走馬の換算順位の平均と誤差計数を算出する。算出された換算順位の平均と誤差計数から一次優勝確率を計算する（段階Ｓ４０４）。
【００４３】
続いて上記算出された換算順位と誤差計数から次のような方法で一次優勝確率を計算する。
【００４４】
一次優勝確率（％）＝｛一次優勝確率計数（Ｋ１）−（換算順位の平均値＋誤差計数）｝］×１０（百分率計数）
【００４５】
本発明の実施例では上記一次優勝確率計数（Ｋ１）を１０として、上記換算順位の平均値と誤差計数は小数点４の位を四捨五入した小数点３の位まで出す。例として、上記Ｓ４０３段階で換算順位の平均値が２．９３７で誤差計数が−０．１の場合には、一次優勝確率は｛１０−（２．９３７−０．１）｝×１０＝７１．６３％となる。ここでいう一次優勝確率計数（Ｋ１）はウェブサーバの運営者の必要に応じて調整できる。
【００４６】
上記一次優勝確率の計算が終われば、競走馬優勝確率計算簿４０は計算した一次優勝確率に使用者が優勝確率を知りたいと希望する選択された該当競走の競走日時の競走馬の優勝確率を反映した二次優勝確率を計算する事になる。この詳細段階を下記に説明する。
【００４７】
競走馬優勝確率計算簿４０が使用者が選択した該当競走の競走時刻の年月日時の六十甲子を算出する。上の六十甲子の算出結果、使用者が選択した競走の競技時刻は、例を挙げると壬午年、乙丑年、丙寅日、丁未時と算出される（段階Ｓ４０５）。競走馬データベース２０を検索して保存した全競走馬レコードに記録された情報中、上記算出した六十甲子中の年の六十甲子と一致する行の情報を読み出す（段階Ｓ４０６）。万が一、算出された年の六十甲子と一致する競走馬レコードがない場合には、月の六十甲子と一致する情報を選び出す。
【００４８】
読み出された行情報の誤差計数を算出する（段階Ｓ４０７）。ここで言う誤差計数の算出において、読み出された年の六十甲子と一致する情報は該当競走馬レコードを構成する行の集合体を指し、競走馬優勝確率計算簿４０がこれらを競走年月日時Ａ６順に整列し、整列されたデータから前述した方法通り該当競走馬の換算順位の平均と誤差計数を算出する。
【００４９】
競走馬データベース２０を検索して保存した全競走馬レコードに記録された情報中、上記算出した六十甲子の中で年の六十甲子と一致する行の情報を読み出し、読み出された行情報の誤差計数を算出する（段階Ｓ４０８）。この段階は上記で説明したＳ４０７段階と同じ方法を使用して誤差計数を算出する。以下で説明する日と時の誤差計数の算出も同一の方法で算出する。
【００５０】
競走馬データベース２０を検索して保存した全競走馬レコードに記録された情報中、上記算出した六十甲子の中で日の六十甲子と一致する行の情報を読み出し、読み出された行情報の誤差計数を算出する（段階Ｓ４０９）。競走馬データベース２０を検索して保存した全競走馬レコードに記録された情報中、上記算出した六十甲子の中で時の六十甲子と一致する行の情報を読み出し、読み出された行情報の誤差計数を算出する（段階Ｓ４１０）。
【００５１】
競走馬の四柱と該当競走の競技時点での四柱が所定作業を発生させれば（四柱の合、沖、刑、破、害、空亡）、競走馬データベース２０を検索し、保存した全レコードに記録された情報中、上記の所定作業があった行の情報を読み出し、読み出された行情報の誤差計数を算出する（段階Ｓ４１１）。算出された年月日時に該当する各誤差計数と所定作業が発生した競走馬レコードから算出された誤差計数の和を算出する（段階Ｓ４１２）。算出された誤差計数の和から二次優勝確率を計算する（段階Ｓ４１３）。本発明の実施例であげると、上記二次優勝確率は次のような方法で出される。
【００５２】
二次優勝確率（％）＝一次優勝確率（％）＋｛誤差計数の和×１０（百分率計数）｝
【００５３】
例をあげると、前述したＳ４０４段階での一例のように一次優勝確率が７１．６３％で段階Ｓ４１２での誤差計数の和が＋０．５２４の場合には、二次優勝確率は、７１．６３（％）＋｛＋０．５２４×１０｝（％）＝７６．８７％となる。
【００５４】
続いて騎手／調教師データベース３０に保存された情報から騎手／調教師優勝確率を計算する方法について図６を参考に説明する。図６は図４に図示された騎手優勝確率の計算方法を表したフローチャートで、騎手の優勝確率を計算する方法と調教師の優勝確率を計算する方法は同じ方法を使用するのでここでは騎手の優勝確率を計算する方法のみを説明する。
【００５５】
上記騎手／調教師優勝確率計算簿５０が、騎手／調教師データベース３０から該当騎手レコードを読み出す（段階Ｓ５０１）。読み出した該当騎手レコードから過去の該当競技記録の中で使用者が選択した該当競走の競走条件と一致するデータを選別する（段階Ｓ５０２）。ここで言う該当競走の競走条件とは、例を挙げると騎手の年齢、体重、該当競走の距離などが一致する条件を持った情報であり、可能であれば該当競走と一致する条件を持ったデータを選別する。万が一、初出場の騎手の場合にはその騎手が属する群のレコードを検索して該当競走の競争条件と一致するデータを選別する。一方上記データの選別段階は、該当騎手レコードに記録された情報の中で該当競走条件と一致または類似した競走条件を持った行の情報を読み出すことを言う。
【００５６】
選別されたデータから換算順位と誤差計数を算出する（段階Ｓ５０３）。ここで言う選別されたデータとは、該当騎手レコードを構成する行の集合体を指し、騎手／調教師優勝確率計算簿５０がこれらを競走年月日時Ｂ５順に整列し、整列されたデータから前述した競走馬優勝確率方法で説明した方法を利用して該当騎手の換算順位の平均と誤差計数を算出する。算出された換算順位の平均と誤差計数から一次優勝確率を計算する（段階Ｓ５０４）。
【００５７】
続いて上記算出された換算順位と誤差計数から前述した競走馬の一次優勝確率を計算する方法と同じ方法で一次優勝確率を計算する。上記一次優勝確率の計算が終われば騎手／調教師優勝確率計算簿５０は計算した一次優勝確率に使用者が選択した該当競走の競走日時の騎手の優勝確率を反映した二次優勝確率を計算する。その詳細段階を以下に説明する。
【００５８】
騎手／調教師優勝確率計算簿５０は使用者が選択した該当競走の競走時刻の年月日時の六十甲子を算出する。上の六十甲子の算出結果、使用者が選択した競走の競技時刻は、前述した例のように壬午年、乙丑年、丙寅日、丁未時のような形式で算出される（段階Ｓ５０５）。騎手／調教師データベース３０を検索して保存した全競走馬レコードに記録された情報中、上記算出した六十甲子の年の六十甲子と一致する行の情報を読み出す（段階Ｓ５０６）。万が一、算出された年の六十甲子と一致する騎手／調教師レコードがない場合には、月の六十甲子と一致する情報を選び出す。読み出された行情報の誤差計数を算出する（段階Ｓ５０７）。騎手／調教師優勝確率計算簿５０が読み出した年月日時Ｂ５順に整列し、整列されたデータから前述した方法通り該当競走馬の換算順位の平均と誤差計数を算出する。
【００５９】
騎手／調教師データベース３０を検索して保存した全競走馬レコードに記録された情報中、上記算出した六十甲子の中で月の六十甲子と一致する行の情報を読み出し、読み出された行情報の誤差計数を算出する（段階Ｓ５０８）。騎手／調教師データベース３０を検索して保存した全競走馬レコードに記録された情報中、上記算出した六十甲子の中で日の六十甲子と一致する行の情報を読み出し、読み出された行情報の誤差計数を算出する（段階Ｓ５０９）。騎手／調教師データベース３０を検索して保存した全競走馬レコードに記録された情報中、上記算出した六十甲子の中で時の六十甲子と一致する行の情報を読み出し、読み出された行情報の誤差計数を算出する（段階Ｓ５１０）。
【００６０】
騎手の四柱と該当競走の競技時点での四柱が所定作業を発生させれば（四柱の合、沖、刑、破、害、空亡）、騎手／調教師データベース３０を検索し、保存した全レコードに記録された情報中、上記の所定作業があった行の情報を読み出し、読み出された行情報の誤差計数を算出する（段階Ｓ５１１）。算出された年月日時に該当する各誤差計数と所定作業が発生した騎手レコードから算出された誤差計数の和を算出する（段階Ｓ５１２）。
【００６１】
算出された誤差計数の和から二次優勝確率を計算する（段階Ｓ５１３）。二次優勝確率の計算は前述した競走馬の場合と同じ方法で計算する。例を挙げると、騎手の一次優勝確率が４８．３７％で上の誤差計数の和が＋１．０１５の場合には、二次優勝確率は４８．３７％＋（１．０１５×１０）　（％）＝６１．７８％と計算される。続いて、上記の騎手の一次優勝確率と二次優勝確率の計算方法と同じ方法を利用して調教師の一次優勝確率と二次優勝確率を計算する。
【００６２】
以後、上記ウェブサーバ１０が競走馬優勝確率計算簿４０と騎手／調教師優勝確率計算簿５０から計算した競走馬及び騎手／調教師の優勝確率、即ち各自の二次優勝確率を表示したウェブページを生成して使用者のインターネット接続ツールに送信することで使用者は自身が選択した競走に属する各競走馬の各騎手及び調教師の優勝確率を認知できる。
【００６３】
図７は本発明の競馬優勝確率予想方法の他の実施例のシステム構成図であり、図面を参考に詳細に説明する。前述した実施例と同じ部分に対する符号の説明は省略する。
【００６４】
上記本発明に伴う他の実施例のシステムの構成は、本発明のバックオフィス装置２００に相性度計算簿７０を含めさせたもので、上記　相性度計算簿７０は上記実施例での競走馬優勝確率計算簿４０及び騎手／調教師優勝確率計算簿５０での該当競走の競走馬とその騎手及び調教師の該当競走時刻時点での優勝確率計算が終われば、上記該当競走の競走馬とその競走馬に乗馬する騎手及び競走馬とその競走馬を訓練させた調教師との相性度を計算する。
【００６５】
これによると上記相性度計算簿７０は、上記競走馬データベース２０及び騎手／調教師データベース３０と連動され、上記競走馬データベース２０及び騎手／調教師データベース３０に保存された競走馬及び騎手／調教師のレコードから必要情報を読み出して競走馬と騎手及び競走馬と調教師の相性度を算出する為のソフトウェアソリューションを内蔵し、上記ソフトウェアソリューション中央制御部６０の指令により作動する。以後、上記相性度計算簿７０で計算した相性度は前述した競走馬の優勝確率と騎手／調教師の優勝確率と共に使用者のインターネット接続ツール５に送信され、使用者は相性度をウェブブラウザを通して認知できるようになっている。
【００６６】
図８及び図９を参照して相性度計算簿７０での相性度計算方法を説明する。図８は本発明における相性度計算方法を表したフローチャートで、図９は相性度計算において競走馬と騎手の相性度を計算する方法を表したフローチャートである。
【００６７】
本発明の相性度計算方法は、上記競走馬優勝確率計算の手順と騎手／調教師優勝確率計算の手順が終われば、上記中央制御部６０が相性度計算簿７０に相性度の計算を指令する段階（段階Ｓ７０１）、上記指令により上記相性度計算簿７０が使用者が選択した該当競走に出場する競走馬と騎手の相性度を計算する段階（段階Ｓ７０２）、上記競走馬と騎手の相性度の計算が終われば、上記相性度計算簿７０が使用者が選択した該当競走に出場する競走馬と調教師の相性度を計算する段階（段階Ｓ７０３）、ウェブサーバ１０が選択した競走馬優勝確率と騎手／調教師優勝確率及び競走馬と騎手の相性度と競走馬と調教師の相性度を含めたウェブページを生成して使用者のインターネット接続ツールに送信する段階（段階Ｓ７０３）を含めて構成される。
【００６８】
ここで、上記の競走馬と騎手の相性度を計算する段階（段階Ｓ７０２）を少し詳しく説明する。相性度計算簿７０が該当競走に出場する競走馬レコードを競走馬データベース２０から読み出す（段階Ｓ７０２−１）。読み出された競走馬レコードから換算順位の平均値Ｐを読み出す（段階Ｓ７０２−２）。上記換算順位の平均値Ｐはすでにレコードに記録されているので、相性度計算簿７０はその値を呼び出すだけでよい。
【００６９】
上記読み出された競走馬レコードから該当競走馬が該当騎手と競走した行があるかを検索する（段階Ｓ７０２−３）。万が一、上記競走馬レコードから該当騎手と競走した行情報がない場合には、該当競走馬が該当騎手の属する群に含まれる他の騎手らと競走した行があるかを検索する（段階Ｓ７０２−４）。
【００７０】
また、競走馬が初出場する場合に上記の段階Ｓ７０２−４で結果を得られない場合には、該当競走馬が属する群に含まれた他の競走馬と該当騎手が競走した行があるかを検索する（段階Ｓ７０２−５）。また、騎手が初出場する場合に上の段階Ｓ７０２−５で結果を得られない場合には、該当競走馬が属する群の全競走馬と該当騎手が属する群の全騎手が共に競走した行があるかを検索する（段階Ｓ７０２−６）。検索した行情報を整列し、換算順位の平均値Ｐ’を出する（段階Ｓ７０２−７）。上記該当競走馬レコードの換算順位の平均値Ｐと上記Ｓ７０２−７段階で算出した換算順位の平均値Ｐ’の差を算出する（段階Ｓ７０２−８）。上記算出された差を便宜上Ｓ１とする。
【００７１】
次に、相性度計算簿７０が該当競走に出場する騎手レコードを騎手／調教師データベース３０から読み出す（段階Ｓ７０２−９）。読み出された騎手レコードから換算順位の平均値Ｐを読み出す（段階Ｓ７０２−１０）。上記で読み出された騎手レコードから該当騎手が該当競走馬と競走した行があるかを検索する（段階Ｓ７０２−１１）。万が一上記騎手レコードから該当騎手が該当競走馬と競走した行情報がない場合には、該当騎手が該当競走馬が属する群に含まれている競走馬と競走した行があるかを検索する（段階Ｓ７０２−１３）。また、競走馬が初出場する場合に上の段階Ｓ７０２−１３で結果を得られない場合には、該当騎手が属する群の全騎手と該当競走馬が属する群の全競走馬が共に競走した行を検索する（段階Ｓ７０２−１４）。
【００７２】
検索した行情報を整列し、換算順位の平均値Ｐ’を算出する（段階Ｓ７０２−１５）。
上記騎手レコードの換算順位の平均値Ｐと上記Ｓ７０２−１５段階で算出した換算順位の平均値Ｐ’の差を算出する（段階Ｓ７０２−１６）。上記で算出した差を便宜上Ｓ２とする。
【００７３】
上記騎手レコードの換算順位の平均値Ｐと上記換算順位の平均値Ｐ’の差であるＳ１と上記騎手レコードの換算順位の平均値Ｐと上記Ｓ７０２−１５段階で算出した換算順位の平均値Ｐ’の差であるＳ２を利用して次の通りに相性度を計算する（段階Ｓ７０２−１７）。ここでは相性度を便宜上Ｓとする。
【００７４】
競走馬と騎手の相性度Ｓ＝６０（相性度計数）＋｛（Ｓ１＋Ｓ２）×１０｝
【００７５】
例をあげると、Ｓ１の値が−１．０２５でＳ２の値が＋０．４７６の場合には、競走馬と騎手の相性度Ｓは６０＋｛（−１．０２５＋０．４７６）×１０｝＝５４．５１と計算される。ここで相性度計数はウェブサーバの運営者により調整できる。
【００７６】
次に相性度計算簿７０は競走馬と調教師の相性度を計算する（段階Ｓ７０３）、この計算は上述した競走馬と騎手の相性度Ｓを計算する同一の方法を利用すればよいので、詳細説明は省略する。ただし、計算した競走馬と調教師の相性度を便宜上Ｔとする。
【００７７】
以後ウェブサーバ１０が計算した競走馬と調教師の相性度Ｔを含むウェブページを生成し、使用者のインターネット接続ツールに送信する。
【００７８】
また、望ましくはウェブサーバ１０が上で計算した競走馬優勝確率と騎手／調教師優勝確率及び競走馬と騎手の相性度もしくは競走馬と調教師の相性度の各値を反映した総合優勝確率を計算し、この結果を使用者インターネット接続ツールに送信できるようにする。
【００７９】
上記加重値計数による総合優勝確率の計算は例をあげると、競走馬の優勝確率が７５％、騎手の優勝確率が６０％、競走馬と騎手の相性度が５０％とすれば、これを各自の加重値が競走馬が０．４（４０％）、騎手加重値が０．３（３０％）、相性加重値が０．３（３０％）とする時、上記総合優勝確率は７５×０．４＋６０×０．３＋５０×０．３＝６３％と総合優勝確率が計算される。
【００８０】
以上で添付した図面を参考に本発明の望ましい実施例の構成を詳細に説明したが、これはただ単に本発明を説明する為のもので、該当業界の経営者のために多様な実施が可能であるという事を示し、その例として本発明による優勝確率予想システム及び方法が競輪に利用される形態の実施もありえ、そのような実施は本発明の請求範囲内にあるといえる。
【００８１】
【発明の効果】
上記のような構成を持った本発明の効果は、競走馬の過去競走記録をデータベース化して該当出走競走の各競走馬別優勝確率を数値的に計算したもので、使用者が各競走馬の優勝確率を容易に予測できる効果がある。
【００８２】
また、競走馬と騎手の相性度及び競走馬と調教師の相性度を計算するにあたり、信頼性のある優勝確率を提供すると同時に競走馬と騎手の優勝確率を容易に把握できるだけでなく使用者の興味をより高める効果を持つ発明である。
【図面の簡単な説明】
【図１】本発明による競馬優勝確率予想システムの構成図である。
【図２】本発明システムの競走馬データベースの構成を表した図である。
【図３】本発明システムの騎手／調教師データベースの構成を表した図である。
【図４】本発明による競馬優勝確率予想方法を表した流れ図である。
【図５】図４で図示した競走馬優勝確率の計算方法を表した流れ図である。
【図６】図４で図示した騎手優勝確率の計算方法を表した流れ図である。
【図７】本発明による競馬優勝確率予想方法の他の実施例の構成図である。
【図８】本発明による相性度の計算方法を表した流れ図である。
【図９】本発明による相性度の計算において競走馬と騎手の相性度を計算する方法を表した流れ図である。
【符号の説明】
５　使用者インターネット接続ツール
１０　ウェブサーバ
２０　競走馬データベース
３０　騎手／調教師データベース
４０　競走馬優勝確率計算簿
５０　騎手優勝確率計算簿
６０　中央制御簿
７０　相性度計算簿
１００　インターネット網
１１０　ＷＡＰゲート
１２０　移動通信端末機
２００　バックオフィス装置
【図１】
2004054917.tif 000003
【図２】
2004054917.tif 000004
【図３】
2004054917.tif 000005
【図４】
2004054917.tif 000006
【図５】
2004054917.tif 000007
【図６】
2004054917.tif 000008
【図７】
2004054917.tif 000009
【図８】
2004054917.tif 000010
【図９】
2004054917.tif 000011